(57)【要約】【課題】建設工程情報と設備情報を一元管理し、運用管理システムと連携することにより、ネットワーク設備を効率的に管理する。【解決手段】ネットワーク設備建設管理システムは、ネットワーク設備の建設案件の工程を管理している建設工程管理のステータスと、ネットワーク装置の設備情報を管理している設備管理のステータスを管理し、該ステータスにおけるネットワーク装置の親子関係と接続関係を保持する手段と、運用管理システムに親子関係と接続関係を引き渡す手段と、運用管理システムからネットワーク設備の変更および更新情報を取得し、親子関係と接続関係を変更および更新する手段とを備えている。【選択図】図２
2010237943.tif 000002
【特許請求の範囲】
【請求項１】
ネットワーク設備の建設案件の工程を管理している建設工程管理のステータスと、ネットワーク装置の設備情報を管理している設備管理のステータスを管理し、該ステータスにおけるネットワーク装置の親子関係と接続関係を保持する手段と、
運用管理システムに前記親子関係と接続関係を引き渡す手段と、
前記運用管理システムからネットワーク設備の変更および更新情報を取得し、前記親子関係と接続関係を変更および更新する手段と、
を備えていることを特徴とするネットワーク設備建設管理システム。
【請求項２】
前記親子関係と接続関係を表示する手段をさらに備えていることを特徴とする請求項１に記載のネットワーク設備建設管理システム。
【請求項３】
前記親子関係と接続関係を編集する手段をさらに備えていることを特徴とする請求項１または２に記載のネットワーク設備建設管理システム。
【発明の詳細な説明】
【技術分野】
【０００１】
本発明は、ネットワーク設備建設管理システムに関する。より詳細には、ネットワーク設備の建設工程情報と設備情報を一元管理し、運用管理システムと連携することにより、ネットワーク設備を効率的に管理するネットワーク設備建設管理システムに関する。
【背景技術】
【０００２】
図１は、従来のネットワーク設備建設での管理範囲を示す。従来のネットワーク設備建設（局舎工事、機材の設置、ファイバの接続等）では、工事業者の作業のみに限定した建設工事単体での管理が行われていた。例えば、図１の場合、工事案件１が管理するのは、破線で囲まれた範囲内であり、工事に関係する装置およびコネクタのみである。このコネクタが接続されるパッチパネルのコネクタとの接続状況は管理されていなかった。工事案件２の場合も同じであり、１点鎖線で囲まれた範囲内のみ管理されていた。
【０００３】
このように、納入された設備と他の設備との接続状況の管理は行われていなかった。また、ネットワーク設備が運用管理部門へ納入された後の使用状況および設備更改の結果は、一元管理されていなかった。
【発明の概要】
【発明が解決しようとする課題】
【０００４】
しかしながら、ネットワーク設備は他の設備と異なり、納入後の接続変更が頻繁に発生し、使用用途が外側からは見えにくいため、資産状態の管理が難しい。したがって、建設工事単体で完結せず、納入後の設備がどのような形で、どのように使われているかを管理しなければならないという課題があった。
【０００５】
したがって、本発明は、建設工程情報と設備情報を一元管理し、運用管理システムと連携することにより、ネットワーク設備を効率的に管理するネットワーク設備建設管理システムを提供することを目的とする。
【課題を解決するための手段】
【０００６】
上記課題を解決するため、本発明によるネットワーク設備建設管理システムは、ネットワーク設備の建設案件の工程を管理している建設工程管理のステータスと、ネットワーク装置の設備情報を管理している設備管理のステータスを管理し、該ステータスにおけるネットワーク装置の親子関係と接続関係を保持する手段と、運用管理システムに前記親子関係と接続関係を引き渡す手段と、前記運用管理システムからネットワーク設備の変更および更新情報を取得し、前記親子関係と接続関係を変更および更新する手段とを備えている。
【０００７】
また、前記親子関係と接続関係を表示する手段をさらに備えていることも好ましい。
【０００８】
また、前記親子関係と接続関係を編集する手段をさらに備えていることも好ましい。
【発明の効果】
【０００９】
本発明により、ネットワーク設備建設管理システムが、運用管理システムと連携することにより、ネットワーク設備を一元管理することが可能になり、ネットワーク装置の建設工程情報と設備情報を親子関係および接続関係を持って管理することが可能になる。さらに各設備のステータスも管理することが可能になる。
【図面の簡単な説明】
【００１０】
【図１】従来のネットワーク設備建設での管理範囲を示す。
【図２】本発明によるネットワーク設備建設管理システムの概要を示す。
【図３】ネットワーク設備の親子関係と接続関係の例を示す。
【図４】インポート用ＣＳＶファイルの例を示す。
【図５】エクスポート用ＸＭＬファイルの例の一部を示す。
【図６】ネットワーク設備建設管理システムの設備情報一覧画面を示す。
【図７】ネットワーク設備建設管理システムの設備情報編集画面を示す。
【発明を実施するための形態】
【００１１】
本発明を実施するための最良の実施形態について、以下では図面を用いて詳細に説明する。図２は、本発明によるネットワーク設備建設管理システムの概要を示す。ネットワーク設備建設管理システム１は、建設工程管理１１と設備管理１２を備えている。ネットワーク設備建設管理システム１は、１つまたは複数の局舎に設置されたネットワーク設備を管理している。また、運用管理システム２と連携し、ネットワーク設備に関する情報の同期を行っている。建設工程管理１１は、建設案件の工程を管理している。図２の例では、２つの建設案件があり、それぞれの建設案件は２つの工事案件を有している。設備管理１２は、ネットワーク装置（以下、装置と略する）の設備情報を管理している。図２では、局舎内に装置およびパッチパネルが設置されており、各装置は、パッチパネルを介して局舎内または局舎外の装置と接続されている。
【００１２】
建設工程管理１１および設備管理１２は、それぞれのステータスを管理している。建設工程のステータスは、工事着手前、進行中、検収中、工事完了があり、工事が進むごとに、左から右に進んでいく。また、設備管理１２のステータスは、調達中、検収待ち、検収済み、資産があり、工事が進むごとに、左から右に進んでいく。全体として、工事着手前→調達中→進行中→検収待ち→検収中→検収済み→工事完了→資産と進んでいき、資産となった段階で工事が終了し、運用管理部門に納入され、以降は、運用管理システム２で管理され、ネットワーク設備の運用が始まる。
【００１３】
それぞれのステータスにおいて、ネットワーク設備は、親子関係と接続関係を保持し、参照できるように管理されている。ここでの設備は、局舎、施設、地点、コンテナ、装置、ポート、コネクタ、ケーブル等である。図３は、ネットワーク設備の親子関係と接続関係の例を示す。親子関係は、図３の片方向矢印部分である。ただし、一部の設備は再帰構造を持つ。図３では、局舎内に施設があり、施設内に地点があることを示している。地点内に地点があることもあり、また、コンテナ内にコンテナがあることもある。これは、再帰構造により表されている。図３で接続関係は両方向矢印部分である。図３では、局舎間が接続され、コネクタ間がケーブルを媒介として接続されていることが示されている。
【００１４】
工事終了後、資産となった後、ネットワーク設備は外部システム（例えば、運用管理システム２）によって管理される。設備引き渡しの際、ネットワーク設備建設管理システム１は、上記のネットワーク設備の親子関係と接続関係の設備情報をエクスポートして運用管理システム２に引き渡す。納入後、設備の変更または更新があった場合、運用管理システム２は例えば、ＣＳＶファイルで設備の変更または更新状況を通知する。
【００１５】
図４は、インポート用ＣＳＶファイルの例を示す。局舎情報の例であり、運用管理システム２は、局舎情報に変更があった場合、ネットワーク設備建設管理システム１に通知する。図５は、エクスポート用ＸＭＬファイルの例の一部を示す。ネットワーク設備建設管理システム１が、運用管理システム２に設備を引き渡す際に用いられる。なお、本例は一部のみを表示しており、ポートに関する部分の詳細を示している。
【００１６】
図６は、ネットワーク設備建設管理システムの設備情報一覧画面を示す。本図は、ネットワーク設備建設管理システム１の設備情報として局舎の一覧を示している。画面左側の局舎をマウスでクリックすることにより表示される。また、画面左側の施設、地点、コンテナ、装置、ポート、コネクタ等をマウスでクリックすることにより、これらの情報が表示される。また、新規登録ボタンをクリックすることにより、設備情報を新規に登録することができる。インポートボタンをクリックすることにより、運用管理システム２からの通知により設備情報を更新することができる。エクスポートボタンをクリックすることにより、運用管理システム２へ通知する設備情報のＸＭＬファイルを作成できる。
【００１７】
図７は、ネットワーク設備建設管理システムの設備情報編集画面を示す。本図は、図６に表示された１行目の編集画面であり、局舎名、工事案件名等を修正することができる。
【００１８】
本発明のネットワーク設備建設管理システムにより、ネットワークシステムの状態が一元管理され、ネットワーク設備が親子関係、接続関係を持って管理されているため、効率的に設備を管理できる。
【００１９】
また、以上述べた実施形態は全て本発明を例示的に示すものであって限定的に示すものではなく、本発明は他の種々の変形態様および変更態様で実施することができる。従って本発明の範囲は特許請求の範囲およびその均等範囲によってのみ規定されるものである。
【符号の説明】
【００２０】
１  ネットワーク設備建設管理システム
１１  建設工程管理
１２  設備管理
２  運用管理システム
【図１】
2010237943.tif 000003
【図２】
2010237943.tif 000004
【図３】
2010237943.tif 000005
【図４】
2010237943.tif 000006
【図５】
2010237943.tif 000007
【図６】
2010237943.tif 000008
【図７】
2010237943.tif 000009